(57)【特許請求の範囲】
【請求項１】
管理対象物品に表示された通信アドレスのコードを読取った通信端末からの前記読取ったコードの内容を含む送信情報に基いて、前記管理対象物品の管理用データベースである物品データベースの内容を更新する物品管理装置であって、前記通信アドレスは前記管理対象物品の個々に発番された物品ＩＤを含むものとし、前記送信情報中の物品ＩＤと、前記物品データベース内の対応する物品ＩＤの状態情報とを用いて、前記物品データベースに対する１つ又は複数の更新内容を選定して前記通信端末を操作した操作者に対して画面に提示し、該画面で前記操作者に選択された対応する物品ＩＤの状態情報を更新する更新処理を実行することを特徴とする物品管理装置。
【請求項２】
請求項１において、選定した更新内容が１つである場合、その提示を省いて更新処理を実行することを特徴とする物品管理装置。
【請求項３】
請求項１又は２において、前記通信端末からの送信情報は、該通信端末の位置情報、該通信端末に対応する端末ＩＤ，該通信端末を操作した操作者に対応するユーザＩＤを含むものとし、前記更新内容の選定には、前記位置情報、前記端末ＩＤ、前記ユーザＩＤを用いて選択すべき更新内容を絞り込むことを特徴とする物品管理装置。
【発明の詳細な説明】
【技術分野】
【０００１】
本発明は、物品管理装置に関する。
【背景技術】
【０００２】
生産品等の物品に関する情報を生産、流通、販売の各過程で２次元コードに基いて一貫して管理し、物品の消費者による情報の取得を容易にするシステムが知られている（例えば、特許文献１参照）。
【先行技術文献】
【特許文献】
【０００３】
【特許文献１】特開２００５−２５１０７９号公報
【発明の概要】
【発明が解決しようとする課題】
【０００４】
上記システムにおける物品管理装置に関る従来技術の例を図１に示す。
図１(a)のように物品（詳しくは、管理対象物品）１の現品には物品ＩＤをバーコード（１次元コード）或いは２次元コードに暗号化した物品ＩＤコード２が表示されている。この物品ＩＤコード２は、図１(b)に示すコードリーダ３Ａやモバイル通信器３Ｂなどの通信端末３で読取られる。通信端末３には、操作者の個々に発番された識別記号であるユーザＩＤ，通信端末３の機器の個々に発番された識別記号である端末ＩＤが格納され、或いは更にＧＰＳ機能付きのものでは、通信端末３の位置情報（緯度経度など）が入手できる。一方、物品データベース４は、図１(ｃ)のように、物品の状態Ａを物品ＩＤとリンクさせたテーブルを有する。物品の状態Ａには、例えば「出荷指示待ち」、「出荷待ち」、「出荷済」があり、これらの情報は、随時、必要に応じて、通信端末３を介した遠隔操作によって更新される。
【０００５】
図２に示す様に、「出荷指示待ち」の状態は「出荷指示登録」要求の実行により「出荷待ち」の状態に更新される。「出荷待ち」の状態は「出荷実績登録」要求の実行により「出荷済」の状態に、或いは「出荷中止登録」要求の実行により「出荷指示待ち」の状態に夫々更新される。或る状態とこれに対する登録要求とが上記の関係（便宜上、整合関係という）にない場合は、次のような不具合が生じるので登録要求は実行されない。
・「出荷指示待ち」に対し、「出荷指示登録」要求及び「出荷中止登録」要求では更新とはならない。
・「出荷待ち」に対し、「出荷指示登録」要求では更新とはならない。
・「出荷済」に対し、「出荷指示登録」要求及び「出荷中止登録」要求では不合理な更新となり、又、「出荷実績登録」要求では更新とはならない。
いま、物品１の現品では物品ＩＤ＝「１２３」、物品データベース内では、物品ＩＤ＝「１２３」の状態Ａ＝「出荷待ち」であり、通信端末３の操作者は、現品の状態を「出荷済」に更新する意図であるとする。
【０００６】
従来装置（詳しくは、従来の物品管理装置）は、通信端末３からのアクセス要求に応じて初期画面情報として図１(d)に示すメニューを返す。操作者がメニュー項目の中から登録更新要求として「出荷実績登録」を選択すると、これを受けた従来装置は、図１(e)に示すバーコード読取りを促す画面を通信端末３に表示させる。これを見た操作者が通信端末３にて現品のコード読取りを実行すると、現品の物品ＩＤ＝「１２３」が従来装置へ送信される。これを受けた従来装置は、物品データベース４を参照し、物品ＩＤ＝「１２３」の状態情報Ａと登録要求との整合性（両者が前記整合関係にあるならＯＫ、なければＮＧ）を判定する。今の場合、Ａ（＝「出荷待ち」）に対し登録要求は「出荷実績登録」なのでＯＫであり、従来装置は状態Ａを「出荷済」に更新し、通信端末３に図１(f)のような画面を表示させる。操作者は画面の更新結果を見てそれが妥当なら「閉じる」、不当なら「取消」を選択する。
【０００７】
然し、図１(d)のメニュー表示段階で操作者が誤って「出荷指示登録」を選択してしまった場合、Ａ（＝「出荷待ち」）に対し登録要求は「出荷指示登録」となって、これはＮＧであるから、従来装置は状態Ａの登録要求を拒否して、通信端末３に図１(g)のようなエラーメッセージを表示させる。操作者は仕方なく最初から操作をやり直さねばならず、煩雑である。又、前記誤操作の誘因として、初期メニュー画面の選択項目中にエラーに繋がる選択項目（この例の場合では無用であるはずの「出荷指示登録」）が含まれている事が挙げられる。
【０００８】
つまり、従来装置では、操作者を誤操作に誘導し易く、又、操作者が誤操作した後に正常に戻そうとする場合の操作が煩雑であるという課題があった。
【課題を解決するための手段】
【０００９】
発明者は前記課題の解決策について検討し、その結果、有効な解決策は、操作者に対して、最初に全ての選択肢を提示してその中から選択してもらう（＝従来の概念）というのではなく、最初に現品の物品ＩＤ情報を受けとって物品データベースと照合し、必要な選択肢を抽出してそれのみを提示し、更には、必要な選択肢が１つのみである場合、その提示を省略してその選択肢を無条件に実行し、事後確認を受けるという点にあるとの着想を得て、本発明をなした。
【００１０】
即ち本発明は以下の通りである。
（１）  管理対象物品に表示された通信アドレスのコードを読取った通信端末からの前記読取ったコードの内容を含む送信情報に基いて、前記管理対象物品の管理用データベースである物品データベースの内容を更新する物品管理装置であって、前記通信アドレスは前記管理対象物品の個々に発番された物品ＩＤを含むものとし、前記送信情報中の物品ＩＤと、前記物品データベース内の対応する物品ＩＤの状態情報とを用いて、前記物品データベースに対する１つ又は複数の更新内容を選定して前記通信端末を操作した操作者に対して画面に提示し、該画面で前記操作者に選択された対応する物品ＩＤの状態情報を更新する更新処理を実行することを特徴とする物品管理装置。
（２）  前記（１）において、選定した更新内容が１つである場合、その提示を省いて更新処理を実行することを特徴とする物品管理装置。
（３）  前記（１）又は（２）において、前記通信端末からの送信情報は、該通信端末の位置情報、該通信端末に対応する端末ＩＤ，該通信端末を操作した操作者に対応するユーザＩＤを含むものとし、前記更新内容の選定には、前記位置情報、前記端末ＩＤ、前記ユーザＩＤを用いて選択すべき更新内容を絞り込むことを特徴とする物品管理装置。
【発明の効果】
【００１１】
本発明によれば、通信端末の誤操作を招き難く、更には、より簡単な操作にて、物品データベースの内容を更新する事ができる。
【図面の簡単な説明】
【００１２】
【図１】従来技術の例を示す説明図である。
【図２】現品の情報処理フローを示す流れ図である。
【図３】本発明用の管理対象物品の例を示す概略図である。
【図４】本発明装置の動作例を示す説明図である。
【図５】本発明装置の好適形態の動作例を示す説明図である。
【図６】本発明装置の更なる好適形態についての説明図である。
【発明を実施するための形態】
【００１３】
本発明用の通信端末は、従来（図１(b)参照）と同じく、通信端末３である。又、本発明用の物品データベースは、従来（図１(c)参照）と同じく、物品データベース４である。
然し、図３に示す様に、本発明用の管理対象物品１０は、従来（図１(a)参照）と異なり、物品ＩＤを含む通信アドレス（例えば、URL=http://www.○○○.○○/ID=123）のコード２０が表示されたものである。
【００１４】
本発明装置（本発明に係る物品管理装置）は、通信端末からのコード２０の送信内容に基いて、従来とは異なる動作をする。この動作について、図４を用いて説明する。
いま、物品１０の現品では物品ＩＤ＝「１２３」、物品データベース４内では、物品ＩＤ＝「１２３」の状態Ａ＝「出荷待ち」であり、通信端末３の操作者は、現品の状態情報を「出荷済」に更新する意図であるとする。
【００１５】
通信端末３は、コード２０を読取ると、図４(a)のように読取りデータを表示し、本発明装置への接続を促す。尚、従来では接続前に物品IDコード２の読取りを行っても、URL情報がないから、接続を促す画面は現れない。
図４(a)の画面で接続を実行すると、読取りデータが本発明装置へ送信される。この送信を受けた本発明装置は、送信情報中の物品ID＝「１２３」と物品データベース4内の対応する物品ID＝「１２３」にリンクした状態（状態情報）A=「出荷待ち」とを用いて、状態Aに対し前記ＯＫ関係にある前記登録要求と等価な更新内容（ここでは、「出荷実績処理」と「出荷中止処理」である）を選定し提示する。これにより、通信端末３の画面は図４(b)へと切替わる。操作者は意図した「出荷実績処理」を選択し、これを受けた本発明装置は更新処理を実行する。そして実行結果を通信端末３へ返す（図４(ｃ））。操作者はこれを確認し、従来同様「閉じる」か「取消」かを選択する。
【００１６】
図４と図１の比較から分るように、本発明では無用の選択肢（ここでは、前記「出荷指示登録」と等価な「出荷指示処理」である）は、提示されないから、エラーメッセージは返されず、誤操作（誤って選択する事）も招き難い。
次に、現品では物品ID=「４５６」、物品データベース４内では、物品ID＝「４５６」の状態A=「出荷指示待ち」であるとする。この場合、状態Aに対し前記整合関係にある更新内容は「出荷指示処理」のみであるから、図４(b)のように提示して選択を受けるというのは無用の事である。よって、本発明装置では、選定した更新内容が１つである場合、その提示を省いて更新処理を実行するという形態が好適である。この好適形態では、前記更新内容が１つである場合、提示される画面は図５のようになる。
【００１７】
又、通信端末３からの送信情報が、該通信端末の位置情報、該通信端末に対応する端末ＩＤ、該通信端末を操作した操作者に対応するユーザＩＤを含んだものである場合、本発明装置では、前記更新内容の選定に際し、前記位置情報、前記端末ＩＤ、前記ユーザＩＤを用いて選択すべき更新内容を絞り込む形態が、無用の選択肢の提示を更に省略できて、より好適である。
この形態では、例えば、図６(a)のような位置区分判定テーブルを用いて、送信された位置情報から位置区分を求め、次いで、図６(b)のような可能処理判定テーブルを用いて、送信されたユーザID、端末ID、及び前記求めた位置区分から、可能処理を求める。この例では、「出荷待ち」状態に対し前記整合関係にある「出荷実績処理」及び「出荷中止処理」の処理可能性が、ユーザＩＤ、端末ＩＤ、位置区分の組合せによって更に制限を受ける事になる。図６(b)より、ユーザID=ab345678の操作者へは図４に準じて「出荷実績処理」と「出荷中止処理」とを提示して選択を仰ぐが、ユーザID=ab123456の操作者へは図５に準じて「出荷実績処理」の提示を省略してこの処理を実行する。
【符号の説明】
【００１８】
１  管理対象物品（従来用）
２  物品ＩＤコード
３  通信端末（例えばコードリーダ３Ａやモバイル通信器３Ｂなど）
４  物品データベース
１０  管理対象物品（本発明用）
２０  通信アドレスのコード
【図１】
0005853686.tif 000002
【図２】
0005853686.tif 000003
【図３】
0005853686.tif 000004
【図４】
0005853686.tif 000005
【図５】
0005853686.tif 000006
【図６】
0005853686.tif 000007